(57)【要約】  【課題】  通信量における使用者負担を軽減し、使用者情報変更に対する端末設定の再設定に要する時間を必要としない或いは最小限とする。  【解決手段】  端末を一度使用した経験のある使用者を使用者として参照・登録できる使用者リストを有し、使用者の端末使用経験の有無を問い合わせることで端末設定情報再設定をコントロールする使用者判定部を有し、本来使用者変更後に初期化される設定情報を、使用者変更後も端末使用者用の設定情報領域とは別の領域に端末内でのみ有効な管理番号を付加した使用者リストとして保持する機構を有し、ネットワーク端末設定情報管理を行なう。これにより、端末を一度は使用した経験のある使用者に対しては設定情報の初期化を必要とせず、使用者変更時に使用者毎に必要となる設定情報の再設定が現在使用している設定情報と使用者用の設定情報との置き換えにより端末の設定の変更が実現できる。【選択図】  図１
2004054950.tif 000002
【特許請求の範囲】
【請求項１】
ネットワークに接続する端末の使用者情報とその使用者情報に対応する前記端末の設定情報とを、前記端末を使用する度に記憶しておき、前記端末の設定情報を管理するネットワーク端末設定情報管理方法であって、
使用者情報を入力するステップと、
前記入力された使用者情報を、すでに記憶された使用者情報と照合するステップとを備え、
前記照合の結果使用者情報がすでに記憶された使用者情報と一致した場合には、前記使用者情報に対応して記憶された前記端末の設定情報を当該端末内に置換設定する一方、
前記照合の結果使用者情報がすでに記憶された使用者情報と一致しない場合には、前記使用者情報に対応する設定情報を端末管理サーバからネットワークを介して取得し記憶する、
ことを特徴とするネットワーク端末設定情報管理方法。
【請求項２】
端末の使用者情報を記憶するときは、使用者情報に依存しない設定情報と、使用者の識別情報ごとの設定情報とを分別して記憶することを特徴とする請求項１に記載のネットワーク端末設定情報管理方法。
【請求項３】
ネットワークに接続する情報端末装置であって、
使用者情報を入力する使用者情報入力部と、
前記使用者情報を保存する使用者リスト格納部と、
前記使用者リスト格納部に保存された使用者情報と、入力された使用者情報と、を照合する使用者判定部と、
使用者に対応して前記端末が有する機能を実行する際に参照する設定情報を保存する設定情報保存領域と、を備え、
前記照合の結果入力された使用者情報が前記使用者リスト格納部に既に存在した場合には、その使用者に対応する設定情報を設定情報保存領域から読み出して端末内に置換設定し、この設定情報を用いてネットワークに接続することを特徴とする情報端末装置。
【請求項４】
　請求項３に記載の情報端末装置であって、
この情報端末装置はネットワーク１を介して端末管理サーバに接続可能であり、
前記入力された使用者情報がすでに記憶された使用者情報と一致しない場合には、前記入力された使用者情報に対応する端末の設定情報を端末管理サーバからネットワークを介して取得し、
この取得した設定情報を端末内に置換設定し、この設定情報を用いてネットワークに接続するとともに、
ネットワーク接続が終了した後に、前記取得した設定情報を設定情報保存領域に記憶することを特徴とする情報端末装置。
【請求項５】
請求項３に記載の情報端末装置であって、
使用者情報入力部は外部記憶媒体制御部を備え、
使用者情報は外部記憶媒体から前記外部記憶媒体制御部によって読み取られることを特徴とする情報端末装置。
【請求項６】
請求項３に記載の情報端末装置であって、
設定情報保存領域は、使用者情報に依存しない設定情報と、使用者毎に固有の設定情報とを分別して保存する機能を具備することを特徴とする情報端末装置。
【請求項７】
請求項３に記載の情報端末装置であって、
使用者リスト格納部は、使用者毎の端末使用頻度をも保存しておき、前記使用頻度に応じて使用者毎の設定情報を設定情報保存領域に記憶することを特徴とする、情報端末装置。
【請求項８】
請求項３に記載の情報端末装置であって、
設定情報保存領域の空き容量を確認する設定情報置換制御手段を備え、
前記設定情報置換制御部は、前記空き容量に応じて使用者毎の設定情報を記憶することを特徴とする情報端末装置。
【請求項９】
使用者変更による設定情報保存の際の優先度を、使用者リスト格納部にて参照される使用者リストが保持する使用者毎の端末使用回数により判定し、この判定結果に基づいて設定情報の保存の可否を決定することを特徴とする請求項８記載の情報端末装置。
【請求項１０】
設定情報保存領域に記憶される設定情報は、使用者リストとリンクして管理されることを特徴とする請求項３記載の情報端末装置。
【請求項１１】
使用者リスト格納部に、当該使用者リスト格納部にて参照されるグループリストが使用者リストとは別に設けられ、端末を使用する複数の使用者に使用者リスト上でグループ属性を与えることにより、グループ内の使用者に同一グループ内の設定情報を共有させることを特徴とする請求項３記載の情報端末装置。
【請求項１２】
端末がネットワークに接続される際に、使用者情報の入力を受け付ける処理ステップと、
端末がネットワークに接続される度に当該端末の使用者情報とその使用者情報に対応する前記端末の設定情報とを記憶する処理ステップと、
前記入力された使用者情報を、すでに記憶された使用者情報と照合する処理ステップと、
前記照合の結果使用者情報がすでに記憶された使用者情報と一致した場合には、前記使用者情報に対応して記憶された前記端末の設定情報を当該端末内に置換設定する処理ステップと、
をコンピュータに実行させ、情報端末装置として機能させるためのプログラム。
【請求項１３】
端末がネットワークに接続される際に、使用者情報の入力を受け付ける処理ステップと、
端末がネットワークに接続される度に当該端末の使用者情報とその使用者情報に対応する前記端末の設定情報とを記憶する処理ステップと、
前記入力された使用者情報を、すでに記憶された使用者情報と照合する処理ステップと、
前記照合の結果使用者情報がすでに記憶された使用者情報と一致しない場合には、前記使用者情報に対応する設定情報を端末管理サーバからネットワークを介して取得し記憶する処理ステップと、
をコンピュータに実行させ、情報端末装置として機能させるためのプログラム。
【発明の詳細な説明】
【技術分野】
【０００１】
本発明は、ネットワークに接続する携帯端末、特に携帯電話に代表されるようなモバイル端末における遠隔端末管理実現に際し、複数の使用者が同一端末を利用する場合の端末設定情報管理に関するものである。
【背景技術】
【０００２】
従来、携帯無線電話端末に代表されるネットワーク接続可能なモバイル情報端末装置（以下端末）は、遠隔無線通話を本質としたサービスを軸に、軽量小型化・充電池持続性・通話品質の向上などハードウエア面における発展を遂げてきた。さらに近年では、端末上で提供されるサービス、たとえばインターネットを介したブラウジングや電子メール送受信などのソフトウエア面における機能においても複雑化の傾向にある。そのため、これらのサービスを受けるために必要なユーザＩＤやパスワード、使用するネットワーク情報、接続先サーバ情報、使用データフォーマットなど各種設定情報の種類もまた複雑化している。
【０００３】
端末使用の際に使用者による書き換えを行わず、端末使用者が本端末の属するネットワーク網上で識別されるための情報を使用者情報、逆に使用者が端末を使用する際に使用者自ら書き換えを行う情報を端末設定情報と定義する。たとえば、対象となる使用者が属する通信事業者（以下キャリア）を指し示す情報、使用者の電話番号などキャリアが使用者に対して提供する情報は使用者情報である。また、使用者が端末上で選択したサービスに対するユーザ名やパスワード、接続サーバアドレスやリモート取得したアプリケーションデータなど、対象となる使用者が端末を使用するために必要な設定情報は端末設定情報である。
【０００４】
これらのサービスの提供範囲が明確な範囲においては、端末製造者（以下ベンダ）の端末リリース時に端末内にあらかじめ端末設定情報を設定し、必要に応じて使用者自らが書き換えを行うことが一般的であった。
【０００５】
しかし近年では、一度リリースした端末に対しても継続的な設定情報の追加・更新を提供し、端末性能を維持・向上する目的から、これらの端末内部に保持される設定情報をネットワークを介して遠隔地からリモート通信にて再設定するニーズが高まっている。
【０００６】
このように、使用者が使用する端末に対し、遠隔地にある端末管理サーバがネットワークを介して端末の設定情報を追加・変更・削除する等して管理することを遠隔端末管理と呼び、プロビジョニングなどの方式名にて各規格化団体により議論がなされている。
【０００７】
この端末管理実現のためには、使用者が使用する端末とは別の場所、たとえば通信可能なネットワーク上に端末管理用の設定情報を使用者毎に保持する端末管理サーバを用意し、端末は端末管理のサービスを受けるためにネットワークを介して端末管理サーバへ接続し、使用者に対応する端末管理設定情報をリモートで取得する方法が一般的である。また、端末管理のサービス開始時においては、端末管理サーバが端末に対して、取り扱う設定情報の初期化を行う必要がある。これは端末を初めて使用する場合に加え、端末を使用する使用者が変更となった場合にも必要となり、端末を複数の使用者が使用する端末の場合は、その都度使用者に対応する端末設定情報を端末内部に設定する、つまりその都度リモート取得することが要求される。
【０００８】
この複数のユーザがひとつの端末を共有するユースケースは、携帯無線電話端末の高機能化、ＰＤＡ（Ｐｅｒｓｏｎａｌ  Ｄｉｇｉｔａｌ  Ａｓｓｉｓｔａｎｔ）端末やデータ通信専用カード端末などの登場に代表されるように、モバイル端末の多種多様化に追随して今後さらに増加傾向にあると考えられる。たとえば、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）端末で採用されているＳＩＭ（Ｓｕｂｓｃｒｉｂｅｒ  Ｉｄｅｎｔｉｔｙ  Ｍｏｄｕｌｅ）カードのような外部記憶媒体に使用者情報を記録し使用する場合、多種のサービス提供を受けるために、ひとりの使用者が複数の端末にひとつのＳＩＭカードを差し替えて使用するケースがある。また、各々の端末に注目すると、複数の使用者がひとつの端末を共有する、たとえば企業が共同使用するＰＤＡ端末に従業員が個々に保持するＳＩＭカードを差し替えて使用するケースなどが考えられる。このように、ひとつの端末に対し複数の使用者が使用するケースは一般的になりつつある。
【０００９】
従来、ひとつの端末に対して複数の使用者（加入者）の使用者識別を可能とするシステムには、特開平８−２１４３６７号公報（Ｊａｐａｎｅｓｅ  Ｐａｔｅｎｔ  Ｄｉｓｃｌｏｓｕｒｅ  Ｎｏ．２１４３６７／１９９６）に記載されたものが知られている。この複数使用者識別システムの主な構造は、端末内部に複数の加入者（使用者）識別を格納するメモリ・ユニットと、それを制御するコントローラと、電話サービスを提供する標準電話インターフェースと、外部記憶媒体を読み取る複数のカードリーダとを有することを特徴としている。このシステムにおいては、ある端末が内部或いは外部からの参照で複数の使用者のリストをもち、コントローラによって使用者が識別されることにより、ひとつの端末において登録される複数の使用者のうちの一使用者が電話サービスの提供を受けることができるものとしている。
【００１０】
電話サービスの観点からＳＩＭカードの利用を考えれば、前述の特開平８−２１４３６７号公報に記載される複数使用者識別システムにおいて解決可能と考えられるが、遠隔端末管理サービスを受ける前提においては、前述のように使用者毎に異なる端末設定情報の再設定のために、使用者情報を元にネットワークを介し、使用者に対応する端末設定情報をリモートにて取得する必要がある。
【００１１】
一般に、遠隔端末の管理を実現するためには、サービスを受ける端末とサービスを提供する端末管理サーバとの設定情報の構成についてみると、端末側では使用者変更後の端末使用者に対応する設定情報が用意され、一方で端末管理サーバ側では使用者変更後の端末使用者に対応する端末管理の為の設定情報が用意されることが要求される。
【特許文献１】特開平８−２１４３６７号公報
【発明の開示】
【発明が解決しようとする課題】
【００１２】
しかしながら、上記特開平８−２１４３６７号公報に記載される発明においては、使用者毎に異なる電話サービスの提供、つまり使用可能なキャリアや使用者電話番号などを定義する使用者基本情報や使用するネットワーク網のゲートウエイ番号やアクセスポイント名など通信事業者（以下キャリア）の提供するネットワーク網への接続に必要な接続設定情報に関する端末設定情報の再設定は実現したとしても、使用者毎に異なる端末設定情報、たとえばユーザ名やパスワード、接続サーバアドレスなどキャリア或いは一般サービス企業が提供するサービスを受けるために必要なサービス設定情報再設定の機構がないために、端末管理サービスの提供は実現されないという課題がある。
【００１３】
仮に特開平８−２１４３６７号公報に記載される発明を採用する端末が遠隔端末管理サービスに向けた端末設定情報を端末内に設定するとしても、使用者識別の度にリモート通信による設定情報取得が必要となることや、その再設定に時間がかかるといった課題がある。
【００１４】
また、ＧＳＭ端末のＳＩＭカード差し替えによる端末設定情報再設定の例を挙げると、使用者情報の変更、つまり外部記憶媒体の差し替え時に、使用者毎に異なる設定情報を初期化し、新たに認識された使用者の設定情報を端末内に再設定するために、ネットワークを介して端末管理サーバに接続しリモート通信にて端末設定情報を取得する方法となる。
【００１５】
しかし、この方法では外部記憶媒体の差し替え時に、たとえ本端末を一度は使用した経験のある使用者、つまり端末設定情報を設定した経験のある使用者に対しても、その端末設定情報は初期化により破棄されるため、端末は使用者認識の都度端末管理サーバに繋ぎにいく必要がある。そのため、通信量における使用者への負担があること、リモート通信の回線切断により端末設定情報の再設定に失敗する可能性があること、リモート通信による取得再設定に時間が必要となるなどの課題があった。
【００１６】
本発明は、上記課題を解決するためになされたもので、従来の方法では回避できない通信量における使用者負担を軽減し、使用者情報を変更する場合に端末設定を再度設定し直す時間を必要としないようにするか、或いは最小限とすることを目的とする。
【課題を解決するための手段】
【００１７】
上記課題を解決するため本発明は第一に、情報端末装置を一度使用した経験のある使用者を使用者として参照・登録できる使用者リストを有し、その使用者リストに対し使用者変更後の使用者の本情報端末装置使用経験の有無を問い合わせることで端末設定情報再設定をコントロールする使用者判定部を有し、本来使用者変更後に初期化される設定情報を、使用者変更後も情報端末装置使用者用の設定情報領域とは別の領域に情報端末装置内でのみ有効な管理番号を付加した使用者リストとして保持する機構を有するものとする。これにより、本情報端末装置を一度は使用した経験のある使用者に対しては、設定情報の初期化を必要とせず、使用者と連携した設定情報を情報端末装置内部に保持するので、使用者変更時に使用者毎に必要となる設定情報の再設定が、現在使用している設定情報と使用者用の設定情報との置き換えにより実現できる。そのため、ネットワークを介した端末管理サーバからのリモート通信による設定情報取得を必要としない。これにより端末設定情報の再設定に通信を必要とせず、端末設定情報の再設定を必要最小限の時間にて完了する効果が得られる。
【００１８】
第二に、使用者リスト格納部にて参照される使用者リストに各使用者間で共有する設定情報のフラグ管理機能を有するものとする。これにより、たとえばハードウエア情報など使用者依存ではない設定情報或いはウィルス対策ソフトの定義ファイルなど、使用者が共有すべき設定情報の重複保存を回避し、設定情報保存領域の節約と効率のよい管理を実現する効果が得られる。
【００１９】
第三に、使用者リスト格納部にて参照されるグループリストを新たに用意し、複数の使用者グループを設定管理する機構をもつものとする。情報端末装置を使用する複数の使用者に使用者リスト上でグループ属性を与えることで、グループ内の使用者が同一グループ内の設定情報を共有することが可能になる。これにより、設定情報取得に必要とされたリモートによる通信を軽減或いは削減でき、設定情報保存領域の節約を実現する効果が得られる。
【００２０】
第四に、使用者変更による設定情報保存の際の優先度を、使用者リスト格納部にて参照される使用者リストが保持する使用者毎の情報端末装置の使用回数により判定し、使用頻度の低い使用者の保存すべき設定情報のうち、保存領域を無駄に確保する大きな設定情報の保存を回避するものとする。これにより、端末設定情報保存領域の節約を実現する効果が得られる。
【発明の効果】
【００２１】
以上のように本発明によれば、本情報端末装置を一度は使用した経験のある使用者に対しては、使用者変更時に使用者毎に必要となる設定情報の再設定を、情報端末装置内に保存した設定を置き換えることにより実現できる。そのため、端末管理サーバからのリモート通信による全設定情報の取得を必要としない。これにより、端末設定情報の再設定に必要となっていた通信を軽減或いは削減でき、さらに従来に比べて設定再設定完了までの時間が短縮される。
【００２２】
これにより、端末設定情報の再設定に必要となる使用者負担の通信量を軽減或いは削減でき、さらに従来に比べて使用者情報の再設定までに要する時間が短縮される。
【００２３】
また本発明によれば、第一の発明を内部に備えるモバイル端末において、使用者リスト格納部にて参照される使用者リストに各使用者間で共有する設定情報のフラグ管理機能を備えることにより、たとえばハードウエア情報など使用者依存ではない設定情報或いはウィルス対策ソフトの定義ファイルなど使用者が共有すべき設定情報の重複保存を回避することで、設定情報保存領域の節約と効率のよい管理を実現する。
【００２４】
さらに本発明によれば、第一の発明を内部に備えるモバイル端末において、第二の発明の共通管理番号による設定情報共有を行う場合、使用者が共有を求める他人の設定情報に対し、情報端末装置上において複数の使用者情報をグループ化する機構をもつことで、グループ内の使用者が同一グループ内の設定情報を共有することが可能となる。これにより、使用者が共有を求める設定情報のリモート通信による取得、情報端末装置における使用者による入力或いは使用者情報毎に閉じていた設定情報のグループにおける共有が可能となり、取得に必要となっていた通信を軽減或いは削減でき、設定情報保存領域の節約となる。
【００２５】
さらにまた本発明によれば、後述の実施の形態１に示す端末設定情報管理装置を実装するモバイル端末において、使用者情報の変更による設定情報の保存が必要とされた場合、情報端末装置の使用回数を格納情報にもつ使用者リストにより、使用頻度の低い傾向にある使用者ＩＤをリストの記録から予測し、情報端末装置で設定している値よりも保存領域を必要とする設定情報に対し保存の可否を判定し、保存の優先度付けを行うものとする。これにより、使用頻度の低い使用者の保存すべき設定情報のうち、保存領域を無駄に確保する大きな設定情報の保存を回避するため、端末内設定情報保存領域の節約となる。
【発明を実施するための最良の形態】
【００２６】
（実施の形態１）
以下、本発明の実施の形態１について、図１から図９を用いて説明する。本実施の形態では、ネットワーク網に接続可能な情報端末装置であるモバイル端末において、複数の使用者が当該情報端末装置を使用する場合、使用者変更後の使用者に対応する設定情報を端末内に設定するために、端末使用者変更時に使用者リストから端末使用経験の有無を判定し、保存された設定情報の中から変更後の使用者に対応する設定情報の置き換えを行う装置について説明する。
【００２７】
まず、本装置の全体処理の流れについて、図１および図２を用いて説明する。
図１は、本装置を内部にもつ端末の全体機能ブロック図である。
【００２８】
図１に示すように、本装置においては、外部記憶媒体０はキャリアが使用者に対して配布する使用者情報を格納する記憶媒体である。外部記憶媒体制御部１は、外部記憶媒体０が格納する使用者情報を読み込む制御装置である。カレント使用者情報格納部５は、外部記憶媒体制御部１が読み込んだ使用者変更後の端末使用者の使用者情報を格納する。使用者管理部１０は、カレント使用者情報格納部５における使用者情報の更新を検知し、使用者変更後の使用者に対応する端末設定情報の再設定処理を行う本発明の中心部である。内部の詳細については後述する。カレント設定情報格納部４は、使用者管理部１０の指示により、使用者変更後の端末使用者の設定情報を格納する。ネットワーク網１１は、キャリアが提供する基地局電波網からゲートウェイを介して接続するインターネット公衆網までを含む通信路である。端末管理サーバ１２は、端末上の使用者毎の端末管理設定情報を格納し、遠隔地からネットワーク網１１を介して端末に対して設定情報の追加・変更・削除などの命令を発行するサーバである。リモート取得部９は、使用者管理部１０の指示により、端末管理サーバ１２に対し設定情報取得の要求送信や端末管理命令の受信を行う端末内モジュールである。以上のように構成された端末において、次に示す流れにより、使用者変更後の端末使用者に対応する端末設定情報の設定を行う処理を説明する。
【００２９】
図２に示すように、使用者管理部１０は、外部記憶媒体０の端末装着から、次に示す流れで、使用者変更後の使用者に対応する端末設定情報の設定を完了する。
【００３０】
＜ステップ０００１＞
外部記憶媒体制御部１が外部記憶媒体０から使用者情報を読み込む。
【００３１】
＜ステップ０００２＞
外部記憶媒体制御部１が外部記憶媒体０から取得した使用者情報を、カレント使用者情報格納部５に書き込み更新する。
【００３２】
＜ステップ０００３＞
使用者管理部１０は、カレント使用者情報格納部５の更新を受け、使用者変更後の使用者情報をカレント使用者情報格納部５から読み込む。
【００３３】
＜ステップ０００４＞
使用者管理部１０は、内部で使用者情報の一部から当該情報端末装置の使用経験を調査し、使用者変更後の使用者に対応して保存されている設定情報が存在する場合、その端末設定情報をカレント設定情報格納部４に格納する。
【００３４】
＜ステップ０００５＞
ステップ０００４において、使用者変更後の使用者に対応して保存されている設定情報が存在しない場合、使用者管理部１０は、内部で使用者変更後の使用者の当該情報端末装置の使用経験がない、つまり保存されている設定情報が存在しない、或いは使用経験があるとしても設定情報が不十分な場合、その設定情報の差分を端末管理サーバ１２に対しリモート取得する要求をリモート取得部９に送信する。
【００３５】
＜ステップ０００６＞
リモート取得部９が、ネットワーク網１１を介して端末管理サーバ１２にリモート通信接続し、差分の端末設定情報のすべてを取得し、カレント設定情報格納部４に格納する。
【００３６】
ここで説明した、当該情報端末装置の使用経験の調査処理、設定情報置換の処理は、使用者管理部１０内部に存在するモジュールにより指示される。この詳細については、後述する。
【００３７】
次に、図１に示す使用者管理部１０における内部の処理を、図３から図９により説明する。図３は、使用者管理部１０が内部に備える機能ブロックを示す。図４は、使用者変更後の使用者情報から端末使用経験の有無を判断し、端末使用経験がある場合の端末内における端末設定情報の置換と、端末使用経験がない場合の端末外へのリモート通信による端末設定情報の取得を選択する流れを示すフローチャートである。図５は、端末使用経験があると判断された使用者の設定情報置換の流れを示すフローチャートである。図６は、端末使用経験なしと判断された使用者のリスト登録と設定情報置換の流れを示すフローチャートである。図７は、内部に保持する使用者のリスト構成を示す図である。図８は、設定情報置換処理実施の際の設定情報保存に関する処理の流れを示すフローチャートである。図９は、端末設定情報を保存する領域の空き領域を確保するための処理の流れを示すフローチャートである。
【００３８】
図３に示すように、本実施の形態では、外部記憶媒体０はキャリアが使用者に対して配布する使用者情報を格納する記憶媒体である。外部記憶媒体制御部１は、外部記憶媒体０から使用者情報を読み込みカレント使用者情報格納部５に格納する端末内制御モジュールである。使用者リスト格納部２は、当該情報端末装置の使用経験のある使用者を使用者リストとして内部に備えるものである。使用者判定部３は、カレント使用者情報格納部５から使用者情報変更を受け、使用者変更後の使用者に対応する端末設定情報の置換を設定情報置換制御部８に指示するものである。カレント設定情報格納部４は、使用者変更後の使用者に対応する設定情報を設定情報置換制御部８の処理結果により格納する領域を備えるものである。カレント使用者情報格納部５は、外部記憶媒体制御部１から使用者変更後の使用者の使用者情報を受け取り内部に格納する領域を備えるものである。設定情報保存領域６は、設定情報置換制御部８の処理により得られた保存すべき使用者の設定情報を複数格納し得る領域を備えるものである。使用者情報監視制御部７は、カレント設定情報格納部５の使用者情報を監視し、その使用者情報の変更を使用者判定部３に伝えるものである。設定情報置換制御部８は、使用者判定部３からの指示によりカレント設定情報格納部４の設定情報を設定情報保存領域６へ保存、或いは使用者情報に対応する設定情報を設定情報保存領域６から選別しカレント設定情報格納部４へ置換、或いは新規使用者に対しカレント設定情報格納部４に新規設定情報を設定し、リモート取得部９が使用者判定部３の指示により図１に示す端末管理サーバ１２に接続処理を行うものである。図１で示した使用者管理部１０は、ここで述べた使用者リスト格納部２、使用者判定部３、設定情報保存領域６、使用者情報監視制御部７および設定情報置換制御部８から構成されるものである。以上のように構成される端末設定情報管理装置について、次に述べるこの装置内部の処理の流れで、使用者変更後の使用者検知から使用者を判定し、端末設定情報を端末内部に設定する内部処理を説明する。
【００３９】
図４に示すように、使用者判定部３は、カレント使用者情報格納部５から読み出した使用者情報から、次に示す流れで、使用者に対応する端末設定情報を端末内に設定する。
【００４０】
＜ステップ１００１＞
外部記憶媒体０に記録された使用者情報を外部記録媒体制御部１が読み込み、カレント使用者情報格納部５に使用者変更後の使用者情報として格納する。
【００４１】
＜ステップ１００２＞
使用者情報監視制御部７がカレント使用者情報格納部５の更新を検知し、使用者情報の抽出を行う。
【００４２】
＜ステップ１００３＞
使用者情報監視制御部７は、カレント使用者情報格納部５から抽出した使用者情報に端末内で使用者判定をする上で有効な情報が含まれるかを調査する。もしも有効な情報が含まれない場合は、ステップ１００４の処理を行う。
【００４３】
＜ステップ１００４＞
使用者情報監視制御部７は、カレント使用者情報格納部５から抽出した使用者情報に端末内で使用者判定をする上で有効な情報が含まれない場合、使用者情報に対応する端末設定情報の置き換え処理を中止する
＜ステップ１００５＞
使用者情報監視制御部７は、カレント使用者情報格納部５から抽出した使用者情報に端末内で使用者を判定する上で有効な使用者情報が含まれる場合、使用者判定部３に使用者情報を受け渡し、使用者判定部３は使用者情報内の特定の情報、たとえば外部記憶媒体登録番号などを端末上での管理の為に使用者ＩＤとして取得する。
【００４４】
＜ステップ１００６＞
使用者判定部３は、使用者情報監視制御部７から取得した使用者ＩＤから、使用者変更後の使用者の当該情報端末装置の使用経験の有無を照合するため、使用者リスト格納部２に使用者ＩＤを添えて検索依頼を発行する。
【００４５】
＜ステップ１００７＞
使用者リスト格納部２は、使用者判定部３から受け取った使用者ＩＤと、使用者リスト格納部２が内部保持する使用者リストに登録されている端末経験のある使用者ＩＤとの比較をし、変更後の使用者の当該情報端末装置の使用経験、つまり変更後の使用者に対応して保存されている設定情報の有無を調査する。
【００４６】
＜ステップ１００８＞
使用者判定部３は、使用者リスト格納部２による照合の結果、変更後の使用者が当該情報端末装置の使用経験ありと判定した場合、後述する既存使用者による端末設定情報の内部取得処理を設定情報置換制御部８に対して指示する。
【００４７】
＜ステップ１００９＞
使用者判定部３は、使用者リスト格納部２による照合の結果、変更後の使用者が当該情報端末装置の使用経験なしと判定した場合、後述する新規使用者による端末設定情報のリモート取得処理を、使用者リスト格納部２および設定情報置換制御部８に対して指示する。
【００４８】
＜ステップ１０１０＞
使用者管理部１０は、ステップ１００８における端末設定情報の内部取得或いはステップ１００９におけるリモート取得の処理を経て、端末設定情報の設定を完了する。
【００４９】
次に、図４における、情報端末装置を使用者した経験のある使用者に対応した設定情報を、端末内部で保存している設定情報保存領域から取得し、使用可能とするまでの処理について詳しく説明する。
【００５０】
図５に示すように設定情報置換制御部８は、次に示す流れで、端末設定情報を設定する。
【００５１】
＜ステップ２００１＞
使用者判定部３は、使用者リスト格納部２から変更後の使用者の当該情報端末装置の使用経験があることを示す通知を受信する。
【００５２】
＜ステップ２００２＞
使用者判定部３は、カレント設定情報格納部４に存在する変更前の使用者の設定情報を今後も使用者識別が可能となるように保存する為、変更前の使用者ＩＤに対応する管理番号を設定情報の一部として埋め込み、設定情報保存領域６に保存することを指示する。
【００５３】
＜ステップ２００３＞
設定情報保存領域６への保存完了を設定情報置換制御部８が使用者判定部３に通知し、使用者判定部３は使用者リスト格納部２に前使用者の端末使用回数の更新指示を発行する。
【００５４】
＜ステップ２００４＞
使用者判定部３はカレント使用者情報格納部５にある使用者の使用者ＩＤに対応する管理番号を設定情報置換制御部８に通知し、設定情報置換制御部８は使用者に対応する設定情報の管理番号を元に設定情報保存領域６から特定し、カレント設定情報格納部４に置換コピーをする。
【００５５】
＜ステップ２００５＞
使用者判定部３の指示により設定情報置換制御部８が内部に持つ使用者ＩＤおよび管理番号を更新する。
【００５６】
＜ステップ２００６＞
既存使用者による端末設定情報の内部取得が終了する。
【００５７】
次に、図４における、情報端末装置を使用者した経験のない使用者に対し、使用者情報に対応した設定情報を、端末外の遠隔端末管理サーバからリモート通信により取得し、使用可能とするまでの処理について詳しく説明する。
【００５８】
図６に示すように、使用者判定部３および設定情報置換制御部８は、次に示す流れで、端末設定情報を設定する。
【００５９】
＜ステップ３００１＞
使用者判定部３は、使用者リスト格納部２から当該情報端末装置の使用経験がないことを示す通知を受信する。
【００６０】
＜ステップ３００２＞
使用者判定部３は、カレント設定情報格納部４に存在する前使用者の設定情報を今後も使用者識別が可能となるように保存する為、前使用者ＩＤに対応する管理番号を設定情報の一部として埋め込み設定情報保存領域６に保存することを指示する。
【００６１】
＜ステップ３００３＞
使用者判定部３は、カレント使用者情報格納部５に存在する使用者情報の使用者ＩＤを新規使用者として使用者リストに登録するため、使用者リスト格納部２へ使用者ＩＤを添えて登録依頼を発行する。
【００６２】
＜ステップ３００４＞
使用者リスト格納部２は、内部保持する使用者リストに登録された使用者ＩＤの端末使用回数を１とし、使用者判定部３に登録完了を通知する。
【００６３】
＜ステップ３００５＞
使用者判定部３は、カレント設定情報格納部４の初期化を設定情報置換制御部８に指示し、カレント使用者情報格納部５に存在する使用者情報用の端末設定情報を新規に設定する準備を行う。
【００６４】
＜ステップ３００６＞
設定情報置換制御部８は、使用者判定部３の指示により、内部に持つ使用者ＩＤおよび管理番号を更新する。
【００６５】
＜ステップ３００７＞
使用者判定部３は、端末設定情報の設定の差分を取得するため、リモート取得部９に使用者変更後の使用者に基づく端末設定情報のリモート取得を依頼する。
【００６６】
＜ステップ３００８＞
リモート取得部９は、カレント使用者情報格納部５に存在する使用者情報を基に端末設定情報取得要求メッセージを作成し、ネットワーク網１１を介して、端末管理サーバ１２に接続する。端末管理サーバ１２は遠隔地に存在する情報端末装置からの設定情報取得要求メッセージを受信し、端末設定情報差分をメッセージとして情報端末装置に送信する。リモート取得部９がこれを受信し、カレント設定情報格納部４に対し端末設定情報の追加・更新を行う。カレント設定情報格納部４に変更後の使用者に対する全ての設定情報を格納し、設定情報置換制御部８が使用者判定部３へリモート取得完了を通知し、置換処理を完了する。
【００６７】
次に、図５および図６における設定情報保存の処理において、端末内部に保存する端末設定情報の使用者毎の識別のために用意される管理番号と使用者リストの格納方法について説明する。
【００６８】
図７に示すように、使用者リスト格納部２は、次の要素をもつ使用者リストを格納し、使用者毎の設定情報の識別と管理を実現する。
【００６９】
本実施の形態１において、情報端末装置上での使用者識別および端末設定情報管理のために、使用者毎に端末上でのみ有効な管理番号を配布し、使用者ＩＤと使用者毎の端末使用回数を情報要素として格納する。ここで示す使用者ＩＤは、外部記憶媒体登録番号などの重複を許さない情報を利用することを前提としている。但し、この重複を許さない情報とは外部記憶媒体番号に限るものではなく、使用者識別に重複を許さない固有の使用者情報であれば使用者の名前、キャリア発行の電話番号など種別を問わない。
【００７０】
次に、図５および図６における設定情報保存の処理おいて、使用者ＩＤおよび管理番号を用いて設定情報を保存する処理について説明する。
【００７１】
図８に示すように、設定情報置換制御部８は、次に示す流れで、保存すべき設定情報を設定情報保存領域６に格納する。
【００７２】
＜ステップ４００１＞
使用者判定部３は、カレント使用者情報５が格納する使用者情報の更新により、カレント使用者に対応する設定情報を設定する場合、変更前の使用者の設定情報の保存を設定情報保存領域６に保存する指示を設定情報置換制御部８へ発行し、設定情報置換制御部８はカレント設定情報格納部４よりカレント設定情報を取得する。
【００７３】
＜ステップ４００２＞
設定情報置換制御部８は、設定情報保存領域６の保存空き容量を調査する。
【００７４】
＜ステップ４００３＞
設定情報置換制御部８は、設定情報保存領域６に十分な保存領域が確保できない場合、後述する使用頻度の低い設定情報の削除によって空き容量を確保する処理を設定情報保存領域６に対し指示する。もし設定情報保存領域６に十分な保存領域が確保できる場合は、下記ステップ４００４の処理を行う。
【００７５】
＜ステップ４００４＞
設定情報置換制御部８は、設定情報保存領域６に十分な保存領域が確保できる場合、カレント設定情報格納部４から取得した端末設定情報の各設定情報要素に設定情報置換制御部８が保持する使用者ＩＤに対応する管理番号を追加情報として記述する。
【００７６】
＜ステップ４００５＞
設定情報置換制御部８は、カレント設定情報格納部４から取得したすべての設定情報構成要素に使用者ＩＤに対応する管理番号を追記したことを確認する。
【００７７】
＜ステップ４００６＞
設定情報置換制御部８は、カレント設定情報格納部４から取得したすべての設定情報要素に追加記述が完了した時点で設定情報保存領域６に書き込みを行い、カレント設定情報格納部４内の設定情報の保存を完了する。
【００７８】
次に、図８における設定情報の端末内置換の処理において、設定情報保存領域の空き容量が確保できない場合に、使用頻度の低い設定情報を削除し、空き容量を確保する処理について説明する。
【００７９】
図９にしめすように、設定情報置換制御部８、使用者判定部３および設定情報保存領域６は、次に示す流れで、使用頻度の低い設定情報の削除を実行する。
【００８０】
＜ステップ５００１＞
設定情報置換制御部８は、変更前の使用者の設定情報保存の処理において、設定情報保存領域６の空き容量が十分ではない警告通知を受信した場合、使用者判定部３に削除すべき使用者ＩＤを問い合わせる。
【００８１】
＜ステップ５００２＞
使用者判定部３は、設定情報置換制御部８からの問い合わせに対し、使用者リスト格納部２に使用頻度の低い使用者ＩＤと管理番号の取得を依頼し、その結果を設定情報置換制御部８に返す。
【００８２】
＜ステップ５００３＞
設定情報置換制御部８は、使用者判定部３より受け取った使用者ＩＤおよび管理番号を保持し、管理番号を含む設定情報のすべてを設定情報保存領域６から削除し、使用者判定部３へ完了を通知する。
【００８３】
＜ステップ５００４＞
使用者判定部３は、使用者リスト格納部２が保持する使用者リストから、削除対象とされた使用者ＩＤおよび管理番号を削除する。
【００８４】
＜ステップ５００５＞
設定情報置換制御部８は、使用者判定部３からの削除完了通知を受信することにより、設定情報保存領域６の空き容量確保を完了する。
【００８５】
このように、内部取得或いはリモート取得で再設定された端末設定情報は、これ必要とするブラウザなどの端末上の複数のアプリケーションからのアクセスを可能とする。
【００８６】
また、ネットワーク網に存在する端末管理サーバ１２からも、端末設定情報のリモート取得時同様に、カレント設定情報あるいはカレント使用者情報への継続的なアクセスを可能とする。
【００８７】
本実施の形態における外部記憶媒体に記録される使用者情報は、必ずしも外部記憶媒体に記録される必要はない。外部記憶媒体制御部が認識可能な使用者情報、たとえば端末上のメモリ保存領域に複数の使用者情報を保持し端末表示画面などにおいて選択可能な場合や、使用者情報が近距離通信手段、たとえば赤外線通信やＢｌｕｅｔｏｏｔｈなどの近距離無線通信、或いは非接触記録媒体などにて選択可能な場合においても、使用者毎に端末設定情報を再設定でき得る装置を、本発明で示す端末設定情報管理装置とする。
【００８８】
また、実施の形態１において、設定情報保存領域６の空き容量確保の為に、使用者リストに使用者毎の端末使用回数を情報要素として記録し、使用頻度の低い使用者から順に保存した設定情報の削除を行うとしたが、この使用頻度による削除は一例に過ぎず、情報更新日時を記録しその古い順番に削除対象とする、保存重要度を設定可能とし、重要度の低い順番に削除するなど、その判断要素は問わない。
【００８９】
以上のように、本実施の形態では、端末を一度は使用した経験のある使用者をリストとして保存すること、本来使用者変更後に初期化される設定情報を使用者変更後も使用者変更後の端末使用者用の設定情報領域とは別の領域に保持することにより、情報端末装置を一度は使用した経験のある使用者に対しては、使用者変更時に使用者毎に必要となる設定情報の再設定を、端末内に保存した端末設定情報の置き換えにより実現できる。そのため、端末管理サーバからのリモート通信による設定情報の完全取得を必要としない、或いは最小限の差分のみの取得で完了できる。つまり端末設定情報の再設定に必要となっていたリモート通信を削減或いは軽減でき、さらに従来に比べて再設定完了までの時間が短縮されるため、その実用的効果は大きい。
【００９０】
（実施の形態２）
本実施の形態は、上記実施の形態１に示す端末設定情報管理装置を実装するモバイル端末において、端末使用者が共通に使用する端末設定情報に、共通管理番号を配布することで保存情報の重複を回避し、保存領域を節約するより効率的な設定情報管理を実現する仕組みについて説明する。
【００９１】
端末設定情報の共通設定処理について、図１０と図１１を参照して説明する。図１０に示すように、使用者リスト格納部２が保持する使用者リストの格納する情報を拡張し、共通設定項目に対しフラグ情報をもたせることで端末使用者が共通に使用する設定情報を共有する。
【００９２】
これは端末内部に保存する設定情報に共通設定項目の概念を導入し、効率的な管理を狙うものである。図６に示した管理番号、使用者ＩＤおよび回数の三つの項目に対し、共通設定項目を追加し、管理番号を個人管理番  号および共通管理番号の区分けとする。ここで示す共通設定項目とは、各使用者が共通して設定し得る設定情報のうち、固定的で変更のない設定情報或いは共通に更新されるべき設定情報を指し、端末ではその共通設定項目識別のためのＩＤをｃ１、ｃ２といった使用者ＩＤに置き換えて管理する。
【００９３】
個人管理番号は０００１から始まる４桁の数字の連番を、共通管理番号は５００１から始まる４桁の数字の連番とする。個人管理番号に対応する使用者ＩＤは従来通りとし、共通管理番号に対応する使用者ＩＤは共通設定項目、つまり共通設定項目を意味する使用者ＩＤを割り当てることとする。また、使用回数も従来通りとするが、共通設定項目にあたる共通管理番号５千番台に関しては図２の設定情報保存領域６のメモリ確保の為の優先削除を行わないこととする。共通設定項目は各要素に一対一となるように使用者ＩＤをｃ１から昇順にて数字を割り当てる。各使用者ＩＤはその共通設定項目に対し、その共通設定情報共有の有無を１ビットフラグにて保持し、ビットが有効（たとえば１が共通設定情報をもつ、０がもたない）の場合は共通設定項目に該当するｃ１などの使用者ＩＤを頼りに、内部的に共通管理番号を問い合わせる仕組み  をとる。共通設定項目の共通設定項目、つまり共有する情報がさらに共有する設定情報を持つ場合も考えられるが、本実施例ではすべて無効、即ち共有する設定情報は一階層のみの取得としている。
【００９４】
次に、図１１に示すように、使用者リスト格納部２および使用者判定部３において、使用者変更後の使用者に対応する個人管理番号および共通管理番号取得の処理について説明する。
【００９５】
詳しくは使用者判定部３が外部記憶媒体制御部１を介して外部記憶媒体０から使用者情報を取得し、定義された使用者ＩＤを元に使用者リスト格納部２に使用者の情報端末装置の使用経験の有無を問うところから、端末設定情報の再設定、つまり設定情報保存領域６に保存の使用者に対応する設定情報の置換を設定情報置換制御部８に指示するところまでを意味する。この実施の形態２における形態１との差分は、引き合いにする使用者ＩＤに対し、共通設定項目として共有する設定情報に関する共通管理番号をも使用者判定部に返信することにある。
【００９６】
＜ステップ６００１＞
使用者判定部３は、カレント使用者情報格納部５の情報更新時、或いは端末上における使用者選択時に、使用者情報監視制御部７を介して使用者情報より使用者ＩＤを取得する。
【００９７】
＜ステップ６００２＞
使用者判定部３は、使用者情報監視制御部７から使用者ＩＤを取得し、使用者ＩＤを添えて使用者リスト格納部２に変更後の使用者の情報端末装置の使用経験の有無を問い合わせる。
【００９８】
＜ステップ６００３＞
使用者リスト格納部２は、内部に持つ使用者リストとの使用者ＩＤ照合を行い、情報端末装置の使用経験のある場合には使用者ＩＤに対応する端末内部のみで有効な個人管理番号を取得する。
【００９９】
＜ステップ６００４＞
使用者リスト格納部２は、使用者リストに本実施例で拡張された共通設定項目の傘下にあるフラグを参照する。
【０１００】
＜ステップ６００５＞
使用者リスト格納部２は、フラグが有効となる共通設定項目のすべてに対し、ｃ１など共通設定項目に割り当てられた使用者ＩＤを元に共通管理番号を内部的に取得する。
【０１０１】
＜ステップ６００６＞
使用者リスト格納部２は、使用者判定部３から要求された使用者ＩＤの個人管理番号および対応するすべての共通管理番号を取得した後、使用者判定部３に対し該当する複数の管理番号を返信する。
【０１０２】
＜ステップ６００７＞
使用者判定部３は、複数の管理番号を受け取り、設定情報置換制御部８に対し、すべての管理番号を受け渡す。
【０１０３】
＜ステップ６００８＞
設定情報置換制御部８は、受け取った管理番号に該当する設定情報を設定情報保存領域６から取得し、カレント設定情報格納部４への置換処理を開始する。
【０１０４】
上記の個人管理番号および共通管理番号取得の処理により、設定情報置換制御部８は設定情報保存領域６の空き容量を確保し、保存すべき前使用者の端末設定情報の保存処理を継続することができる。
【０１０５】
以上のように本実施の形態では、使用者リスト格納部にて参照される使用者リストに各使用者間で共有する設定情報のフラグ管理機能を備えることにより、たとえばハードウエア情報など使用者依存ではない設定情報或いはウィルス対策ソフトの定義ファイルなど使用者が共有すべき設定情報の重複保存を回避し、設定情報保存領域の節約と効率のよい管理を実現できるため、その実用的効果は大きい。
【０１０６】
（実施の形態３）
本実施の形態は、上記実施の形態１に示す端末設定情報管理装置を実装するモバイル端末において、上記実施の形態２に示す共通管理番号による設定情報共有を行う場合、複数の使用者情報をグループ化することで、同一グループ内の異なる使用者が特定の設定情報を共有することができる端末設定情報管理装置について説明する。
【０１０７】
使用者リストにおける使用者のグループ化による設定情報の共通設定処理について、図１２と図１４を参照して説明する。
【０１０８】
図１２に示すように、使用者リスト格納部２が保持する使用者リストの格納する情報にグループ属性に関する情報を追加する。さらに、図１３に示すように、グループが共有する情報の参照先となる管理者やグループ属性名称などを格納するグループリストを使用者リスト格納部２内に新たに設置する。これらのグループ属性の追加およびグループリストの追加により、グループに属する使用者が同一グループで共通に使用する端末設定情報を、共通管理番号により共有し端末内に設定する処理の実現手段を説明する。
【０１０９】
図１２に示すように、本発明における実施の形態１および２により管理される使用者リストに、使用者が属するグループ番号の情報を格納し、各個人管理番号に対して００１番から始まるグループ番号を与えるものとする。ある個人管理番号はひとつのグループ属性をもつものとし、グループに属さない使用者はグループ番号０００を与えるものとする。各グループ番号と個人管理番号との関係は１対多となり、図１３に示すグループリストを使用者リスト格納部２内に使用者リストとは別のリストとしてもつこととする。グループリストは複数のグループをグループ番号００１から管理し、各グループが各々共有する設定情報の参照先を示す管理番号（マスター管理番号）やグループ属性の名称を示すグループ名をもつ。各グループ番号とマスター管理番号との関係は１対１となる。
【０１１０】
図１２において、グループのマスター管理番号となる個人管理番号０００１および０００４は共通設定項目を共通管理番号に対応するフラグとして保持するが、グループのマスター管理番号とならない０００２および０００３は、グループが共有する設定情報との競合を避けるため共通設定項目におけるフラグをすべて０としている。また、共通設定項目となる５００１番以降の共通管理番号に対応するグループ番号はグループ継承を避けるため０００としている。
【０１１１】
次に、図１４に示すように、使用者判定部３は使用者リスト格納部２により、使用者変更後の使用者ＩＤから使用者が属するグループを特定し、使用者変更後の使用者に対応する設定情報のための個人管理番号およびグループが共有する設定情報の共通管理番号を取得し、設定情報置換制御部８に設定情報置換の指示を発行する。
【０１１２】
この実施の形態３における形態１および２との差分は、使用者判定部３が使用者リスト格納部２に対して問い合わせる使用者ＩＤに対し、実施の形態２で述べた共通設定項目として共有する設定情報の共通管理番号が、使用者のグループ属性に対応するマスター管理番号として使用者判定部３に返信されることにある。これらの処理は、次に示す流れによって実現される。
【０１１３】
＜ステップ７００１＞
使用者判定部３は、カレント使用者情報格納部５の更新時、或いは端末上における使用者選択時に、使用者情報監視制御部７を介して使用者情報より使用者ＩＤを取得する
＜ステップ７００２＞
使用者リスト格納部２は、使用者判定部３から受け取った使用者ＩＤを元に、使用者リスト格納部２が保持する使用者リストとの照合を行い、情報端末装置の使用経験のある場合には使用者ＩＤに対応する個人管理番号を取得する。
【０１１４】
＜ステップ７００３＞
使用者リスト格納部２は、使用者リストに本実施例で拡張されたグループ属性の有無を調査する。もしグループ属性が無い場合、下記ステップ７００７の処理を行う。
【０１１５】
＜ステップ７００４＞
使用者リスト格納部２は、使用者リストから使用者ＩＤに対応するグループ番号を内部取得する。
【０１１６】
＜ステップ７００５＞
使用者リスト格納部２は、使用者リストにおいて取得したグループ番号を元に、グループリストを参照し、対応するグループのマスター管理番号を取得する。
【０１１７】
＜ステップ７００６＞
使用者リスト格納部２は、グループリストから取得したマスター管理番号を個人管理番号とし、使用者リストに対応する共通設定項目の共通管理番号を取得する。
【０１１８】
＜ステップ７００７＞
使用者リスト格納部２は、ステップ７００３において使用者ＩＤに対応するグループ属性が存在しない、つまりグループ番号が０００であった場合に、使用者に対応する個人管理番号および共通管理番号を実施の形態２に示すように内部取得する。
【０１１９】
＜ステップ７００８＞
使用者リスト格納部２は、要求された使用者ＩＤに対応する個人管理番号および複数の共通管理番号を、使用者判定部３に対し返信する。
【０１２０】
＜ステップ７００９＞
使用者判定部３は、受け取った複数の管理番号を設定情報置換制御部８に渡す。
【０１２１】
＜ステップ７０１０＞
設定情報置換制御部８は、受け取った管理番号に該当する設定情報を設定情報保存領域６から取得し、カレント設定情報格納部４への置換処理を開始する。
【０１２２】
上記のように、使用者リスト格納部２において、使用者ＩＤを元に使用者に対応する個人管理番号および使用者が属するグループに対応する共通管理番号の取得処理により、設定情報置換制御部８は対応する設定情報の置換処理を実行することができる。
【０１２３】
以上のように本実施の形態では、使用者が共有を求める他人の設定情報に対し、端末上において複数の使用者情報をグループ化する機構をもつことで、グループ内の使用者が同一グループ内の設定情報を共有することが可能となる。これにより、使用者が共有を求める設定情報のリモート通信による取得、端末における使用者による入力或いは使用者情報毎に閉じていた設定情報のグループにおける共有が可能となり、取得に必要となっていた通信を軽減或いは削減でき、設定情報保存領域の節約となるため、その実用的効果は大きい。
【０１２４】
（実施の形態４）
本実施の形態は、上記実施の形態１に示す端末設定情報管理装置を実装するモバイル端末において、上記実施の形態２に示す共通管理番号による設定情報識別を行う場合、使用頻度の低い傾向にある設定情報を端末内使用者リストの記録から予測し、端末で設定している値よりも保存領域を必要とする設定情報に対し保存の可否の判定をし、保存の優先度付けを行う端末設定情報管理装置について説明する。
【０１２５】
本実施の形態における装置構成は、実施の形態１に同じものとする。但し、カレント使用者情報変更を受け実行されるカレント設定情報保存の処理において、設定情報保存領域６の空き容量確保のための設定情報削除の処理後に次の処理が追加される。カレント設定情報の保存指示を受けた設定情報置換制御部８は使用者判定部３を介して使用者変更後の使用者ＩＤに対応する使用者の使用頻度を使用者リスト格納部２に問い合わせる。取得した使用者の使用頻度が全使用者に対して低い場合には、保存すべき設定情報のうち、保存領域を無駄に確保するようなある値よりも大きな設定情報を優先的に保存しない。これにより、使用頻度の低い設定情報の領域確保を回避し、設定情報保存領域の節約を目的とする。
【０１２６】
次に、図１５にしめすように、設定情報置換制御部８、使用者判定部３、使用者リスト格納部２および設定情報保存領域６は、次に示す流れで、使用頻度の低い使用者のカレント設定情報を優先度をつけて保存する処理を実行する。
【０１２７】
＜ステップ８００１＞
設定情報置換制御部８は、使用者判定部３の指示によりカレント設定情報の設定情報保存領域６への保存を実行するため、カレント設定情報を取得する。
【０１２８】
＜ステップ８００２＞
設定情報置換制御部８は、カレント設定情報の各設定情報要素を保存するための設定情報保存領域６の空き容量を調査する。
【０１２９】
＜ステップ８００３＞
設定情報置換制御部８は、設定情報保存領域６に十分な保存領域が確保できない場合、実施の形態１に述べた使用頻度の低い設定情報の削除によって空き容量を確保する。
【０１３０】
＜ステップ８００４＞
使用者リスト格納部２は、設定情報保存領域６に十分な保存領域が確保できる場合、設定情報置換制御部８の指示により使用者ＩＤを元に使用者の端末使用頻度を調査する。
【０１３１】
＜ステップ８００５＞
設定情報置換制御部８は、取得した使用者頻度が全使用者に対して低い場合、保存すべき設定情報のうち、保存領域を無駄に確保するようなある値よりも大きな設定情報をカレント設定情報から削除する。
【０１３２】
＜ステップ８００６＞
設定情報置換制御部８は、カレント設定情報格納部４の各設定情報要素に使用者ＩＤに対応する管理番号を追加情報として記述する。
【０１３３】
＜ステップ８００７＞
設定情報置換制御部８は、カレント設定情報格納部４のすべての設定情報構成要素に使用者ＩＤに対応する管理番号を追記する。
【０１３４】
＜ステップ８００８＞
設定情報置換制御部８は、すべての設定情報要素に追加記述が完了した時点で設定情報保存領域６に書き込みを行いカレント設定情報の保存処理を完了する。
【０１３５】
上記のように、使用者判定部３、設定情報置換制御部８および使用者リスト格納部２において、実施の形態１に示す設定情報保存領域６の空き容量確保の処理に加え、使用者の端末使用頻度による保存優先度と設定情報の大きさにより保存の実行可否を判断し、設定情報保存領域へのカレント設定情報置換処理を実行する。
【０１３６】
以上のように本実施の形態では、端末使用回数を格納情報にもつ使用者リストにより、使用頻度の低い傾向にある使用者ＩＤをリストの記録から予測し、端末で設定している値よりも保存領域を必要とする設定情報に対し保存の可否の判定をし、保存の優先度付けを行うものとする。これにより、使用頻度の低い使用者の保存すべき設定情報のうち、保存領域を無駄に確保する大きな設定情報の保存を回避し、端末内設定情報保存領域の節約を図れるため、その実用的効果は大きい。
【０１３７】
以上のように本発明によれば、情報端末装置を一度は使用した経験のある使用者に対しては、使用者変更時に使用者毎に必要となる設定情報の再設定を、端末内に保存した設定を置き換えることにより実現できる。そのため、端末管理サーバからのリモート通信による全設定情報の取得を必要としない。これにより、端末設定情報の再設定に必要となっていた通信を軽減或いは削減でき、さらに従来に比べて設定再設定完了までの時間が短縮される。
【０１３８】
本発明は、図面に示す好ましい実施の形態に基づいて説明されてきたが、当業者であれば、本発明の思想を逸脱することなく容易に各種の変更、改変し得ることは明らかである。本発明はそのような変更例も含むものである。
【図面の簡単な説明】
【０１３９】
【図１】本発明の第一の実施形態における使用者変更後の使用者に対応する端末設定情報の情報端末装置内における再設定のブロック図
【図２】本発明の第一の実施形態における使用者変更後の使用者に対応する端末設定情報の端末内再設定のフローチャート
【図３】本発明の第一の実施形態における外部記憶媒体差し替えによる使用者情報変更時の使用者管理部ブロック図
【図４】本発明の第一の実施形態における外部記憶媒体差し替えによる使用者情報変更時の使用者管理部動作のフローチャート
【図５】本発明の第一の実施形態における既存使用者による端末設定情報内部取得のフローチャート
【図６】本発明の第一の実施形態における新規使用者による端末設定情報リモート取得のフローチャート
【図７】本発明の第一の実施形態における使用者リストが格納する情報要素の例を示す図
【図８】本発明の第一の実施形態におけるカレント設定情報の使用者ＩＤ埋め込み保存を完了するまでのフローチャート
【図９】本発明の第一の実施形態における使用頻度の低い設定情報の削除完了までのフローチャート
【図１０】本発明の第二の実施形態における使用者リストの格納情報拡張例を示す図
【図１１】本発明の第二の実施形態における使用者リスト格納部の個人管理番号および共通管理番号取得のフローチャート
【図１２】本発明の第三の実施形態における使用者リストの格納情報拡張例を示す図
【図１３】本発明の第三の実施形態におけるグループリスト格納情報例を示す図
【図１４】本発明の第三の実施形態における使用者リスト格納部の個人管理番号およびグループ共通管理番号取得のフローチャート
【図１５】本発明の第四の実施形態におけるカレント設定情報の情報端末装置の使用頻度による優先度付け保存を完了するまでのフローチャート
【符号の説明】
【０１４０】
０  外部記憶媒体
１  外部記憶媒体制御部
２  使用者リスト格納部
３  使用者判定部
４  カレント設定情報格納部
５  カレント使用者情報格納部
６  設定情報保存領域
７  使用者情報監視制御部
８  設定情報置換制御部
９  リモート取得部
１０  使用者管理部
１１  ネットワーク網
１２  端末管理サーバ
【図１】
2004054950.tif 000003
【図２】
2004054950.tif 000004
【図３】
2004054950.tif 000005
【図４】
2004054950.tif 000006
【図５】
2004054950.tif 000007
【図６】
2004054950.tif 000008
【図７】
2004054950.tif 000009
【図８】
2004054950.tif 000010
【図９】
2004054950.tif 000011
【図１０】
2004054950.tif 000012
【図１１】
2004054950.tif 000013
【図１２】
2004054950.tif 000014
【図１３】
2004054950.tif 000015
【図１４】
2004054950.tif 000016
【図１５】
2004054950.tif 000017